(57)【要約】【課題】スモールセルの基地局の消費電力を削減しつつ、スモールセルにおける無線通信の通信品質の低下を抑制することを可能にする。【解決手段】マクロセルと一部又は全体で重なる１つ以上のスモールセルについての端末装置による測定の結果を取得する取得部と、上記測定の上記結果に基づいて、上記１つ以上のスモールセルの基地局の中から、休止状態にさせない基地局を選択する選択部と、を備える通信制御装置が提供される。【選択図】図７
2015037205.tif 000002
【特許請求の範囲】
【請求項１】
マクロセルと一部又は全体で重なる１つ以上のスモールセルについての端末装置による測定の結果を取得する取得部と、
前記測定の前記結果に基づいて、前記１つ以上のスモールセルの基地局の中から、休止状態にさせない基地局を選択する選択部と、
を備える通信制御装置。
【請求項２】
前記１つ以上のスモールセルは、前記端末装置の位置を示す位置情報に基づいて選択されるスモールセルである、請求項１に記載の通信制御装置。
【請求項３】
前記１つ以上のスモールセルの基地局を制御する制御部をさらに備え、
前記制御部は、選択される前記基地局を休止状態にさせず、前記１つ以上のスモールセルの基地局のうちの選択される前記基地局以外の基地局を休止状態にさせる、
請求項１に記載の通信制御装置。
【請求項４】
前記制御部は、前記１つ以上のスモールセルの基地局に前記測定のための信号を送信させる、請求項３に記載の通信制御装置。
【請求項５】
前記１つ以上のスモールセルに関する情報を前記端末装置に提供する提供部をさらに備える、請求項１に記載の通信制御装置。
【請求項６】
前記１つ以上のスモールセルに関する前記情報は、前記１つ以上のスモールセルの基地局の各々によって前記測定のための信号が送信される周波数チャネルを示す情報を含む、請求項５に記載の通信制御装置。
【請求項７】
前記１つ以上のスモールセルに関する前記情報は、前記１つ以上のスモールセルの基地局の各々によって前記測定のための信号が送信されるタイミングを示す情報を含む、請求項５に記載の通信制御装置。
【請求項８】
前記タイミングは、前記１つ以上のスモールセルの基地局の各々が休止状態から起動するまでに要する時間に依存する、請求項７に記載の通信制御装置。
【請求項９】
前記測定のための前記信号は、リファレンス信号である、請求項７に記載の通信制御装置。
【請求項１０】
前記測定の前記結果は、前記測定のための信号の受信電力又は品質に関する情報を含む、請求項１に記載の通信制御装置。
【請求項１１】
前記測定の前記結果は、前記１つ以上のスモールセルのうちの一部のスモールセルについての情報である、請求項１に記載の通信制御装置。
【請求項１２】
前記測定の前記結果は、前記１つ以上のスモールセルのいずれについても前記測定のための信号の受信電力又は品質が所定の閾値を超えない場合に、いずれのスモールセルについても前記受信電力又は前記品質が前記所定の閾値を超えないことを示す情報を含む、請求項１に記載の通信制御装置。
【請求項１３】
前記選択部は、スモールセルでの無線通信を行うことの要望を前記端末装置により通知される場合に、休止状態にさせない上記基地局を選択する、請求項１に記載の端末装置。
【請求項１４】
前記端末装置は、１つの主要な周波数帯域及び１つ以上の補助的な周波数帯域を使用して無線通信可能であり、
前記通信制御装置は、
前記マクロセルのための周波数帯域を前記１つの主要な周波数帯域として使用し、選択される前記基地局のスモールセルのための周波数帯域を前記１つ以上の補助的な周波数帯域の１つとして使用するように、前記端末装置を制御する通信制御部
をさらに備える、請求項１に記載の端末装置。
【請求項１５】
マクロセルと一部又は全体で重なる１つ以上のスモールセルについての端末装置による測定の結果を取得することと、
前記測定の前記結果に基づいて、前記１つ以上のスモールセルの基地局の中から、休止状態にさせない基地局をプロセッサにより選択することと、
を含む通信制御方法。
【請求項１６】
マクロセルと一部又は全体で重なるスモールセルについての端末装置による測定のための信号の送信を制御する通信制御部と、
前記測定の結果に基づいて前記スモールセルの基地局が休止状態にさせない基地局として選択されると、前記スモールセルの基地局を休止状態にさせない状態制御部と、
を備える通信制御装置。
【請求項１７】
マクロセルと一部又は全体で重なる１つ以上のスモールセルについての測定の結果を取得する取得部と、
前記測定の前記結果に基づいて前記１つ以上のスモールセルの基地局の中から休止状態にさせない基地局を選択する通信制御装置に、前記測定の前記結果を提供する提供部と、
を備える端末装置。
【発明の詳細な説明】
【技術分野】
【０００１】
本開示は、通信制御装置、通信制御方法及び端末装置に関する。
【背景技術】
【０００２】
近年のスマートフォンの普及による通信データ量の飛躍的な増大により、セルラー通信では、システム容量のさらなる拡充が求められている。そのため、現在、３ＧＰＰ（Third  Generation  Partnership  Project）のリリース１２では、スモールセルについての新しいアーキテクチャが検討されている。当該新しいアーキテクチャでは、マクロセル内に配置されるスモールセルでは、マクロセルで使用される周波数帯域とは異なる周波数帯域が使用される。これにより、より効率的にセル分割利得が得られ得る。
【０００３】
スモールセルに関する１つの検討事項として、スモールセルの基地局の消費電力の低減が挙げられる。そのため、例えば、スモールセルの使用状況に応じて、スモールセルの基地局を起動させ、又は休止状態（dormant）にすることが考えられる。一例として、オフィス街では、夜間のトラフィックは極めて小さい。別の例として、スポーツ競技場などでは、イベント開催中の特定の時間帯では、トラフィックが極めて大きいが、それ以外の時間帯では、トラフィックは極めて小さい。さらに別の例として、オフローディングの目的で家庭に設置された基地局は、ほとんどの時間帯で使用されていないことが多い。今後、スモールセルがさらに普及し、スモールセルの数が極めて大きくなると、スモールセルの基地局の消費電力を削減することにより、全体として非常に大きな消費電力が削減され得る。そのため、スモールセルの基地局の消費電力を削減するための技術が提案されている。
【０００４】
例えば、特許文献１及び特許文献２には、無線通信端末がフェムトセルの近隣にいないと判定される場合に、フェムトセル基地局に電波の受信を停止させ、無線通信端末がフェムトセルの近隣にいると判定される場合に、フェムトセル基地局に電波の受信を開始させる技術が、開示されている。また、特許文献３には、ＧＰＳ（Global  Positioning  System）により得られた移動端末装置の位置に基づいて、移動端末装置の通信を処理可能なスモールセルを特定し、特定されたスモールセルの電力供給を再開する技術が、開示されている。
【先行技術文献】
【特許文献】
【０００５】
【特許文献１】特開２０１１−０４９８５９号公報
【特許文献２】特開２０１１−０４９８９０号公報
【特許文献３】特開２０１１−０９１７４８号公報
【発明の概要】
【発明が解決しようとする課題】
【０００６】
しかし、上記特許文献１〜３に開示さている技術では、起動させるスモールセルは、端末装置の位置（又は当該位置を含むエリア）のみに基づいて選択されるので、必ずしも適切なスモールセルが選択されるとは限らない。例えば、あるスモールセルの基地局が端末装置により近かったとしても、当該基地局と端末装置との間に大きな障害物があるなどの理由により、上記基地局と上記端末装置との間のチャネルは好ましくない可能性もある。そのため、例えば、端末装置により近いスモールセルの基地局が起動したものの、上記端末装置と上記基地局との無線通信の品質は低くり得る。結果として、例えば、上記端末装置のユーザにとっての利便性が損なわれる。
【０００７】
そこで、スモールセルの基地局の消費電力を削減しつつ、スモールセルにおける無線通信の通信品質の低下を抑制することを可能にする仕組みが提供されることが望ましい。
【課題を解決するための手段】
【０００８】
本開示によれば、マクロセルと一部又は全体で重なる１つ以上のスモールセルについての端末装置による測定の結果を取得する取得部と、上記測定の上記結果に基づいて、上記１つ以上のスモールセルの基地局の中から、休止状態にさせない基地局を選択する選択部と、を備える通信制御装置が提供される。
【０００９】
また、本開示によれば、マクロセルと一部又は全体で重なる１つ以上のスモールセルについての端末装置による測定の結果を取得することと、上記測定の上記結果に基づいて、上記１つ以上のスモールセルの基地局の中から、休止状態にさせない基地局をプロセッサにより選択することと、を含む通信制御方法が提供される。
【００１０】
また、本開示によれば、マクロセルと一部又は全体で重なるスモールセルについての端末装置による測定のための信号の送信を制御する通信制御部と、上記測定の結果に基づいて上記スモールセルの基地局が休止状態にさせない基地局として選択されると、上記スモールセルの基地局を休止状態にさせない状態制御部と、を備える通信制御装置が提供される。
【００１１】
また、本開示によれば、マクロセルと一部又は全体で重なる１つ以上のスモールセルについての測定の結果を取得する取得部と、上記測定の上記結果に基づいて上記１つ以上のスモールセルの基地局の中から休止状態にさせない基地局を選択する通信制御装置に、上記測定の上記結果を提供する提供部と、を備える端末装置が提供される。
【発明の効果】
【００１２】
以上説明したように本開示によれば、スモールセルの基地局の消費電力を削減しつつ、スモールセルにおける無線通信の通信品質の低下を抑制することが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１３】
【図１】本開示の一実施形態に係る通信システムの概略的な構成の一例を示す説明図である。
【図２】一実施形態に係るマクロ基地局の構成の一例を示すブロック図である。
【図３】一実施形態に係るスモールセル情報の一例を説明するための説明図である。
【図４】一実施形態に係るキャリアアグリゲーションの例を説明するための説明図である。
【図５】一実施形態に係るスモール基地局の構成の一例を示すブロック図である。
【図６】一実施形態に係る端末装置の構成の一例を示すブロック図である。
【図７】一実施形態に係る通信制御処理の概略的な流れの第１の例を示すフローチャートである。
【図８】一実施形態に係る通信制御処理の概略的な流れの第２の例を示すフローチャートである。
【図９】ｅＮＢの概略的な構成の第１の例を示すブロック図である。
【図１０】ｅＮＢの概略的な構成の第２の例を示すブロック図である。
【図１１】スマートフォンの概略的な構成の一例を示すブロック図である。
【図１２】カーナビゲーション装置の概略的な構成の一例を示すブロック図である。
【発明を実施するための形態】
【００１４】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて端末装置３００Ａ、３００Ｂ及び３００Ｃのように区別する。ただし、実質的に同一の機能構成を有する複数の構成要素の各々を特に区別する必要がない場合、同一符号のみを付する。例えば、端末装置３００Ａ、３００Ｂ及び３００Ｃを特に区別する必要が無い場合には、単に端末装置３００と称する。
【００１６】
なお、説明は以下の順序で行うものとする。
１．本実施形態に係る通信システムの概略的な構成
２．マクロ基地局の構成
３．スモール基地局の構成
４．端末装置の構成
５．処理の流れ
６．変形例
７．応用例
８．まとめ
【００１７】
＜＜１．本実施形態に係る通信システムの概略的な構成＞＞
まず、図１を参照して、本開示の実施形態に係る通信システム１の概略的な構成を説明する。図１は、本実施形態に係る通信システム１の概略的な構成の一例を示す説明図である。図１を参照すると、通信システム１は、マクロセル１０の基地局（以下、「マクロ基地局」と呼ぶ）１００、スモールセル２０の基地局（以下、「スモール基地局」と呼ぶ）２００、及び端末装置３００を含む。通信システム１は、例えば、ＬＴＥ（Long  Term  Evolution）、ＬＴＥ−Ａｄｖａｎｃｅｄ、又はこれらに準ずる通信方式に従ったシステムである。また、各スモールセル２０は、マクロセル１０と一部又は全体で重なる。
【００１８】
マクロ基地局１００は、マクロセル１０内に位置する端末装置３００との無線通信を行う。また、スモール基地局２００は、スモールセル２０内に位置する端末装置３００との無線通信を行う。例えば、スモールセル２０では、マクロセル１０で使用される周波数帯域とは異なる周波数帯域が使用される。即ち、スモールセル２０での無線通信のためにスモール基地局２００が使用する周波数帯域は、マクロセル１０での無線通信のためにマクロ基地局１００が使用する周波数帯域と異なる。これらの周波数帯域は、それぞれ、例えば、１つ以上のＣＣ（Component  Carrier）を含む。ＣＣとは、ＬＴＥ―Ａｄｖａｎｃｅｄのキャリアアグリゲーションにおいて用いられる帯域である。
【００１９】
また、とりわけ本実施形態では、スモール基地局２００は、休止状態（dormant）となることが可能である。休止状態であるスモール基地局２００は、例えば、ダウンリンクでの送信及びアップリンクでの受信を行わない。即ち、休止状態であるスモール基地局２００は、ダウンリンクでの送信及びアップリンクでの受信を停止している。また、スモール基地局２００は、休止状態であったとしても、その後起動し、ダウンリンクでの送信及びアップリンクでの受信を行うことが可能である。
【００２０】
端末装置３００は、マクロセル１０内に位置する場合に、マクロ基地局１００との無線通信を行う。また、端末装置３００は、スモールセル２０内に位置する場合に、スモール基地局２００との無線通信を行う。
【００２１】
また、例えば、端末装置３００は、１つの主要な周波数帯域及び１つ以上の補助的な周波数帯域を使用して無線通信可能である。より具体的には、例えば、端末装置３００は、キャリアアグリゲーションのケイパビリティを有し、１つのＰＣＣ（Primary  Component  Carrier）及び１つ以上のＳＣＣ（Secondary  Component  Carrier）を使用して無線通信を行うことができる。さらに、例えば、端末装置３００は、マクロセル１０のための周波数帯域（ＣＣ）を主要な周波数帯域（ＰＣＣ）として使用し、スモールセル２０のための周波数帯域（ＣＣ）を補助的な周波数帯域（ＳＣＣ）として使用して、マクロ基地局１００及びスモール基地局２００との無線通信を行い得る。
【００２２】
＜＜２．マクロ基地局の構成＞＞
図２〜図４を参照して、本実施形態に係るマクロ基地局１００の構成の一例を説明する。図２は、本実施形態に係るマクロ基地局１００の構成の一例を示すブロック図である。図２を参照すると、マクロ基地局１００は、アンテナ部１１０、無線通信部１２０、ネットワーク通信部１３０、記憶部１４０及び処理部１５０を備える。
【００２３】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【００２４】
（無線通信部１２０）
無線通信部１２０は、マクロセル１０内に位置する端末装置３００との無線通信を行う。例えば、無線通信部１２０は、マクロセル１０のための周波数帯域を使用して、端末装置３００との無線通信を行う。例えば、上記周波数帯域は、１つ以上のＣＣを含む。
【００２５】
（ネットワーク通信部１３０）
ネットワーク通信部１３０は、他の通信ノードと通信する。例えば、ネットワーク通信部１３０は、スモール基地局２００と通信する。また、例えば、ネットワーク通信部１３０は、他のマクロ基地局１００と通信する。また、例えば、ネットワーク通信部１３０は、コアネットワークノードと通信する。
【００２６】
（記憶部１４０）
記憶部１４０は、マクロ基地局１００の動作のためのプログラム及びデータを記憶する。
【００２７】
例えば、記憶部１４０は、スモール基地局２００に関する情報を記憶する。例えば、当該情報は、スモール基地局２００により形成されるスモールセル２０のスモールセルＩＤ、スモール基地局２００の位置を示す位置情報、スモール基地局２００によりリファレンス信号が送信される周波数チャネルを示す周波数チャネル情報、スモール基地局２００が休止状態からリファレンス信号の送信を開始するまでに要する時間を示す時間情報などを含む。
【００２８】
（処理部１５０）
処理部１５０は、マクロ基地局１００の様々な機能を提供する。処理部１５０は、位置情報取得部１５１、第１選択部１５２、情報提供部１５３、スモールセル制御部１５４、測定結果取得部１５５、第２選択部１５６及び通信制御部１５７を含む。
【００２９】
（位置情報取得部１５１）
位置情報取得部１５１は、端末装置３００の位置を示す位置情報を取得する。
【００３０】
例えば、位置情報取得部１５１は、無線通信部１２０を介して、端末装置３００の位置を示す位置情報の提供を要求する位置情報要求メッセージを、端末装置３００に送信する。すると、端末装置３００は、上記位置情報を送信し、位置情報取得部１５１は、無線通信部１２０を介して、当該位置情報を取得する。一例として、上記位置情報要求メッセージは、ＲＲＣコネクションリコンフィギュレーションメッセージであってもよい。
【００３１】
なお、位置情報取得部１５１は、上述したように端末装置３００により位置情報を提供される代わりに、端末装置３００により送信されるアップリンク信号（例えば、リファレンス信号）を用いた端末装置３００の測位により、上記位置情報を取得してもよい。当該測位は、端末装置３００についてのＴＡ（Timing  Advance）値及びＡｏＡ（Angle  of  Arrival）による測位であってもよく、又は、複数のマクロ基地局１００による端末装置３００の測位であってもよい。
【００３２】
（第１選択部１５２）
第１選択部１５２は、端末装置３００の位置を示す上記位置情報に基づいて、１つ以上のスモールセル２０を選択する。
【００３３】
例えば、第１選択部１５２は、マクロセル１０と一部又は全体で重なるスモールセル２０の中から、上記位置情報により示される端末装置３００の位置の近傍にある１つ以上のスモールセル２０を選択する。一例として、第１選択部１５２は、端末装置３００から所定の距離以内に存在するスモール基地局２００のスモールセル２０を選択する。
【００３４】
これにより、例えば、端末装置３００との無線通信を行う可能性があるスモール基地局２００が選択され、端末装置３００との無線通信を行う可能性がないスモール基地局２００は選択されない。その結果、より消費電力を削減することが可能になる。
【００３５】
（情報提供部１５３）
送信制御部１５２は、上記１つ以上のスモールセル２０に関する情報（以下、「スモールセル情報」と呼ぶ）を端末装置３００に提供する。
【００３６】
例えば、上記スモールセル情報は、上記１つ以上のスモールセル２０のＩＤ（以下、「スモールセルＩＤ」と呼ぶ）を含む。一例として、当該スモールセルＩＤは、ＥＣＧＩ（E-UTRAN  Cell  Global  ID）である。ＥＣＧＩは、ＰＬＭＮ（Public  Land  Mobile  Network）  ＩＤとセルＩＤとの組み合わせである。また、ＰＬＭＮは、国番号と事業者コードとの組み合わせであり、公衆網の識別子である。このようなスモールセルＩＤにより、端末装置３００は、選択されたスモールセル２０を識別することが可能になる。
【００３７】
また、例えば、上記スモールセル情報は、上記１つ以上のスモールセル２０のスモール基地局２００の各々によって測定（measurement）のための信号（以下、「測定用信号」）が送信される周波数チャネルを示す情報（以下、「周波数チャネル情報」と呼ぶ）を含む。一例として、当該周波数チャネル情報は、ＥＡＲＦＣＮ（E-UTRA  Absolute  Frequency  Channel  Number）である。これにより、例えば、端末装置３００は、測定用信号が送信される周波数チャネルを探索することなく、当該測定用信号を受信することが可能になる。そのため、測定における端末装置３００の負荷が軽減され得る。
【００３８】
また、例えば、上記スモールセル情報は、上記１つ以上のスモールセル２０のスモール基地局２００の各々によって測定用信号が送信されるタイミングを示す情報（以下、「タイミング情報」と呼ぶ）を含む。一例として、タイミング情報は、システムフレーム番号（ＳＦＮ）、又はＳＦＮとサブフレーム番号との組合せである。これにより、例えば、端末装置３００は、測定用信号が送信されるタイミングで信号の受信を開始することが可能になる。即ち、端末装置３００は、長時間にわたって信号を受信し続ける必要がなくなる。そのため、測定における端末装置３００の負荷が軽減され得る。
【００３９】
また、例えば、測定用信号が送信される上記タイミングは、上記１つ以上のスモールセル２０のスモール基地局２００の各々が休止状態から起動するまでに要する時間に依存する。例えば、情報提供部１５３は、上記１つ以上のスモールセル２０のスモール基地局２００の各々が休止状態から起動するまでに要する時間を考慮して上記タイミングを決定し、決定された当該タイミングを示す情報（タイミング情報）を提供する。これにより、上記１つ以上のスモールセル２０のスモール基地局２００の間で、休止状態から起動するのに要する時間が異なる場合であっても、適切な送信タイミングを端末装置３００に通知することが可能になる。
【００４０】
以上のように、スモールセル情報が端末装置３００に提供される。これにより、測定における端末装置３００の負荷が軽減され得る。以下、図３を参照して、スモールセル情報の具体例を説明する。
【００４１】
図３は、本実施形態に係るスモールセル情報の一例を説明するための説明図である。図３を参照すると、リスト形式のスモールセル情報が示されている。上述したように、スモールセル情報は、スモールセル２０ごとの、スモールセルＩＤ、周波数チャネル情報及びタイミング情報を含む。
【００４２】
なお、上記測定用信号は、例えば、リファレンス信号である。一例として、上記測定用信号は、セル固有のリファレンス信号（Cell-specific  Reference  Signal：ＣＲＳ）又は共通リファレンス信号（Common  Reference  Signal：ＣＲＳ）である。
【００４３】
（スモールセル制御部１５４）
スモールセル制御部１５４は、上記１つ以上のスモールセル２０のスモール基地局２００を制御する。
【００４４】
−測定用信号の送信の制御
例えば、スモールセル制御部１５４は、上記１つ以上のスモールセル２０のスモール基地局２００に測定用信号を送信させる。
【００４５】
より具体的には、例えば、スモールセル制御部１５４は、上記１つ以上のスモールセル２０のスモール基地局２００を起動させる。一例として、スモールセル制御部１５４は、ネットワーク通信部１３０を介して、上記１つ以上のスモールセル２０のスモール基地局２００へ、起動を指示する起動指示メッセージを送信する。すると、上記１つ以上のスモールセル２０のスモール基地局２００は、起動し、測定用信号を含むダウンリンク信号の送信を再開する。上述したように、当該測定用信号は、例えば、リファレンス信号である。
【００４６】
これにより、スモール基地局２００が休止状態であり、ダウンリンクでの送信が行われていない状態であったとしても、その後、上記１つ以上のスモールセル２０についての測定を行うことが可能になる。
【００４７】
また、例えば、スモールセル制御部１５４は、上記１つ以上のスモールセル２０のスモール基地局２００に、上記スモールセル情報の中で通知される送信タイミングで測定用信号を送信させる。一例として、上記起動指示メッセージの中に上記送信タイミングを示す情報が含まれ、スモール基地局２００は、当該タイミングで、リファレンス信号（又はリファレンス信号を含むダウンリンク信号）の送信を再開する。
【００４８】
なお、上記１つ以上のスモールセル２０のスモール基地局２００は、ダウンリンクでの送信のみを再開し、アップリンクでの受信を停止したままであってもよい。
【００４９】
スモールセル制御部１５４についてのさらなる制御については、測定結果取得部１５５及び第２選択部１５６の説明の後に説明する。
【００５０】
（測定結果取得部１５５）
測定結果取得部１５５は、上記１つ以上のスモールセル２０についての端末装置３００による測定の結果（以下、「測定結果」と呼ぶ）を取得する。
【００５１】
例えば、端末装置３００は、上記１つ以上のスモールセル２０についての測定が完了すると、当該測定の結果（即ち、測定結果）をマクロ基地局１００に提供し、測定結果取得部１５５は、無線通信部１２０を介して、上記測定結果を取得する。一例として、当該測定結果は、測定報告（measurement  report）として提供される。
【００５２】
例えば、上記測定結果は、測定信号の受信電力又は品質に関する情報を含む。より具体的には、上述したように、例えば、上記測定信号は、リファレンス信号である。そして、上記測定信号の受信電力又は品質に関する上記情報は、例えば、ＲＳＲＰ（Reference  Signal  Received  Power）又はＲＳＲＱ（Reference  Signal  Received  Quality）である。
【００５３】
また、例えば、上記測定結果は、上記１つ以上のスモールセル２０のうちの一部のスモールセル２０についての情報である。より具体的には、例えば、上記測定結果は、所定の条件を満たすＲＳＲＰ又はＲＳＲＱ（例えば、所定の閾値を超えるＲＳＲＰ又はＲＳＲＱ）を伴うスモールセル２０についての情報である。一例として、上記測定結果は、所定の条件を満たすＲＳＲＰ又はＲＳＲＱと、当該ＲＳＲＰ又は当該ＲＳＲＱを伴うスモールセル２０のスモールセルＩＤとを含む。このように一部のスモールセル２０についての情報が測定結果として提供されることにより、例えば、測定結果の送信によるオーバーヘッドが抑えられ得る。
【００５４】
なお、上記測定結果は、上記１つ以上のスモールセル２０の各々についての情報であってもよい。
【００５５】
また、上記測定結果は、上記１つ以上のスモールセル２０のいずれについても測定信号の受信電力又は品質が所定の閾値を超えない場合に、いずれのスモールセルについても上記受信電力又は上記品質が上記所定の閾値を超えないことを示す情報を含んでもよい。このような簡易な情報が測定結果として提供されることにより、例えば、測定結果の送信によるオーバーヘッドが抑えられ得る。
【００５６】
（第２選択部１５６）
第２選択部１５６は、上記測定結果に基づいて、上記１つ以上のスモールセル２０のスモール基地局２００の中から、休止状態にさせないスモール基地局２００を選択する。即ち、第２選択部１５６は、上記測定結果に基づいて、上記１つ以上のスモールセル２０のスモール基地局２００の中から、端末装置３００と通信可能な状態にするスモール基地局２００を選択する。
【００５７】
例えば、上述したように、上記測定結果は、測定信号の受信電力又は品質に関する情報を含む。そして、第２選択部１５６は、上記１つ以上のスモールセル２０のスモール基地局２００の中から、最も良好な受信電力又は品質を伴うスモールセル２０のスモール基地局２００を、休止状態にさせないスモール基地局２００として選択する。あるいは、第２選択部１５６は、最も良好な受信電力又は品質を伴うスモールセル２０のスモール基地局２００の代わりに、より良好な受信電力又は品質を伴う２つ以上のスモールセル２０のスモール基地局２００を選択してもよい。
【００５８】
以上のように、測定結果に基づいて、休止状態にさせないスモール基地局２００（即ち、端末装置３００と通信可能な状態にするスモール基地局２００）が選択される。これにより、例えば、必ずしも端末装置３００により近いスモール基地局２００が選択されるわけではなく、より良好な通信品質をもたらすスモール基地局２００が、休止状態にさせないスモール基地局２００として選択される。そのため、スモール基地局２００の消費電力を削減しつつ、スモールセル２０における無線通信の通信品質の低下を抑制することが可能になる。
【００５９】
なお、第２選択部１５６は、スモールセル２０での無線通信を行うことの要望を端末装置３００により通知される場合に、休止状態にさせない上記スモール基地局２００を選択する。例えば、第２選択部１５６に限らず、第１選択部１５２、情報提供部１５３、スモールセル制御部１５４及び測定結果取得部１５５は、上記要望を通知される場合に限り、上述した動作を行う。これにより、端末装置３００がスモールセル２０での無線通信を行わない場合には、上述した一連の動作が行われない。これにより、例えば、無駄な動作を省くことが可能になる。また、例えば、端末装置３００の要望に応じて、端末装置３００にスモールセル２０での無線通信を行わせることが可能になる。
【００６０】
（スモールセル制御部１５４  続き）
次に、スモールセル制御部１５４についてのさらなる制御を説明する。
【００６１】
−スモール基地局の休止（dormancy）の制御
例えば、スモールセル制御部１５４は、選択される上記スモール基地局２００を休止状態にさせず、上記１つ以上のスモールセル２０のスモール基地局２００のうちの選択される上記スモール基地局２００以外のスモール基地局２００を休止状態にさせる。
【００６２】
例えば、上述したように、上記１つ以上のスモールセル２０のスモール基地局２００は、測定信号の送信のために起動したので、スモールセル制御部１５４は、これらのスモール基地局２００のうちの、選択された上記スモール基地局２００以外のスモール基地局２００（以下、「その他のスモール基地局２００」と呼ぶ）を、再び休止状態にする。この場合には、例えば、スモールセル制御部１５４は、ネットワーク通信部１３０を介して、上記その他のスモール基地局２００へ、休止状態になるように指示する休止指示メッセージを送信する。すると、上記その他のスモール基地局２００は、休止状態になり、ダウンリンクでの送信及びアップリンクでの受信を行わなくなる。一方、選択された上記スモール基地局２００は、休止状態にならず、ダウンリンクでの送信及びアップリンクでの受信を行う。スモール基地局２００は、端末装置３００と通信可能な状態のままである。
【００６３】
なお、上述したように、上記１つ以上のスモールセル２０のスモール基地局２００が、測定信号の送信のために、ダウンリンクでの送信のみを再開し、アップリンクでの受信を再開しなくてもよい。この場合には、例えば、スモールセル制御部１５４は、上述したように上記休止指示メッセージを上記その他のスモール基地局２００へ送信しつつ、選択された上記スモール基地局２００へ、起動を指示する起動指示メッセージを送信する。その結果、選択された上記スモール基地局２００は、アップリンクでの受信も再開する。
【００６４】
また、上記１つ以上のスモールセル２０のスモール基地局２００は、測定信号の送信の際に一時的に起動し、測定信号の送信後には、再び休止状態に戻っていてもよい。この場合には、例えば、スモールセル制御部１５４は、選択された上記スモール基地局２００へ、起動を指示する起動指示メッセージを送信する。すると、選択された上記スモール基地局２００は、起動し、ダウンリンクでの送信及びアップリンクでの送信を再開する。
【００６５】
以上のような制御の結果として、選択される上記スモール基地局２００は、休止状態ではなく、端末装置３００と通信可能な状態であり、上記その他のスモール基地局２００は、休止状態である。これにより、端末装置３００は、スモールセル２０での無線通信を行うことが可能になり、且つスモール基地局２００の消費電力が削減され得る。
【００６６】
（通信制御部１５７）
通信制御部１５７は、マクロセル１０での無線通信を制御する。また、例えば、通信制御部１５７は、スモール基地局２００又は端末装置３００を制御することにより、スモールセル２０での無線通信も制御する。
【００６７】
とりわけ本実施形態では、例えば、通信制御部１５７は、マクロセル１０のための周波数帯域を１つの主要な周波数帯域として使用し、選択される上記スモール基地局２００のスモールセル２０のための周波数帯域を１つ以上の補助的な周波数帯域の１つとして使用するように、上記端末装置３００を制御する。
【００６８】
より具体的には、例えば、通信制御部１５７は、マクロセル１０のためのＣＣをＰＣＣとして使用し、スモールセル２０のためのＣＣをＳＣＣとして使用するように、端末装置３００を制御する。一例として、通信制御部１５７は、選択された上記スモール基地局２００により使用されるＣＣをＳＣＣとして追加するための、ＲＲＣコネクションリコンフィギュレーション（RRC  Connection  Reconfiguration）メッセージを、無線通信部１２０を介して端末装置３００へ送信する。すると、端末装置３００は、上記ＣＣをＳＣＣとして追加し、ＲＲＣコネクションリコンフィギュレーションコンプリート（RRC  Connection  Reconfiguration  Complete）メッセージをマクロ基地局１００へ送信する。また、通信制御部１５７は、選択されたスモール基地局２００により使用されるＣＣを端末装置３００がＳＣＣとして使用することを、選択されたスモール基地局２００に通知する。結果として、端末装置３００は、選択されたスモール基地局２００とＳＣＣを使用して無線通信を行う。以下、このようなキャリアアグリゲーションの具体例を、図４を参照して説明する。
【００６９】
図４は、本実施形態に係るキャリアアグリゲーションの例を説明するための説明図である。図４を参照すると、マクロ基地局１００、スモール基地局２００及び端末装置３００が示されている。スモール基地局２００は、測定結果に基づいて選択されたスモール基地局である。端末装置３００は、マクロセル１０のためのＣＣをＰＣＣとして使用してマクロ基地局１００との無線通信を行い、スモールセル２０のためのＣＣをＳＣＣとして使用してスモール基地局２００との無線通信を行う。
【００７０】
このようなキャリアアグリゲーションにより、端末装置３００は、マクロ基地局１００との無線通信を継続しつつ、必要に応じて起動されたスモール基地局２００とも無線通信を行うことが可能になる。例えば、端末装置３００がマクロセル１０内に位置する限り、ＰＣＣのハンドオーバの機会はないので、端末装置３００にとってのシグナリングの負荷を軽減することが可能になる。また、例えば、端末装置３００にとっての通信速度が向上し得る。また、このようなキャリアアグリゲーションのためには、スモールセル２０についての測定が必要であるので、上述したような測定の手続きがとりわけ有効になる。
【００７１】
なお、ＳＣＣの追加のための処理は、ＲＲＣコネクションリコンフィギュレーションメッセージの端末装置３００への送信の代わりに、ＭＡＣ（Media  Access  Control）制御エレメントの端末装置３００への送信を含んでもよい。
【００７２】
＜＜３．スモール基地局の構成＞＞
図５を参照して、本実施形態に係るスモール基地局２００の構成の一例を説明する。図５は、本実施形態に係るスモール基地局２００の構成の一例を示すブロック図である。図５を参照すると、スモール基地局２００は、アンテナ部２１０、無線通信部２２０、ネットワーク通信部２３０、記憶部２４０及び処理部２５０を備える。
【００７３】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【００７４】
（無線通信部２２０）
無線通信部２２０は、スモールセル２０内に位置する端末装置３００との無線通信を行う。例えば、無線通信部１２０は、スモールセル２０のための周波数帯域を使用して、端末装置３００との無線通信を行う。例えば、上記周波数帯域は、１つ以上のＣＣを含む。
【００７５】
とりわけ本実施形態では、無線通信部２２０は、スモール基地局２００が休止状態になると、無線通信を停止する。例えば、ダウンリンクでの送信とアップリンクでの受信の両方が停止される。
【００７６】
（ネットワーク通信部２３０）
ネットワーク通信部２３０は、他の通信ノードと通信する。例えば、ネットワーク通信部２３０は、マクロ基地局１００と通信する。また、例えば、ネットワーク通信部１３０は、他のスモール基地局２００と通信する。また、例えば、ネットワーク通信部２３０は、コアネットワークノードと通信する。
【００７７】
（記憶部２４０）
記憶部２４０は、スモール基地局２００の動作のためのプログラム及びデータを記憶する。
【００７８】
（処理部２５０）
処理部２５０は、スモール基地局２００の様々な機能を提供する。処理部２５０は、状態制御部２５１及び通信制御部２５２を含む。
【００７９】
（状態制御部２５１）
状態制御部２５１は、スモール基地局２００が休止状態になるように、スモール基地局２００を制御する。例えば、状態制御部２５１は、無線通信部２２０に、ダウンリンクでの送信及び／又はアップリンクでの受信を停止させる。また、例えば、状態制御部２５１は、通信制御部２５２に、ダウンリンクでの送信の制御、及び／又はアップリンクでの受信の制御を停止させる。
【００８０】
また、状態制御部２５１は、スモール基地局２００が端末装置３００と通信可能な状態になるように、スモール基地局２００を制御する。即ち、状態制御部２５１は、スモール基地局２００を起動する。例えば、状態制御部２５１は、無線通信部２２０に、ダウンリンクでの送信及び／又はアップリンクでの受信を再開させる。また、例えば、状態制御部２５１は、通信制御部２５２に、ダウンリンクでの送信の制御、及び／又はアップリンクでの受信の制御を再開させる。なお、例えば、初期状態として、ダウンリンクでの送信及び／又はアップリンクでの受信は、停止している。また、例えば、初期状態として、ダウンリンクでの送信の制御、及び／又はアップリンクでの受信の制御は、停止している。
【００８１】
また、状態制御部２５１は、マクロ基地局１００による制御に応じて、スモール基地局２００が休止状態になるように、又は、スモール基地局２００が端末装置３００と通信可能な状態になるように、スモール基地局２００を制御する。一例として、マクロ基地局１００が、起動を指示する起動指示メッセージをスモール基地局２００へ送信すると、状態制御部２５１は、スモール基地局２００が端末装置３００と通信可能な状態になるように、スモール基地局２００を制御する。また、一例として、マクロ基地局１００が、休止状態になるように指示する休止指示メッセージをスモール基地局２００へ送信すると、状態制御部２５１は、スモール基地局２００が休止状態になるように、スモール基地局２００を制御する。
【００８２】
とりわけ本実施形態では、送信制御部２５１は、上記１つ以上のスモールセル２０についての端末装置３００による測定の結果（即ち、測定結果）に基づいてスモール基地局２００が休止状態にさせないスモール基地局として選択されると、スモール基地局２００を休止状態にさせない。例えば、スモール基地局２００が、上記測定結果に基づいて、休止状態にさせないスモール基地局として選択される。また、例えば、スモール基地局２００は、測定信号の送信のために既に起動している。この場合には、マクロ基地局１００は、上記休止指示メッセージをスモール基地局２００へ送信しない。そのため、送信制御部２５１は、スモール基地局２００が休止状態になるように、スモール基地局２００を制御しない。
【００８３】
なお、上述したように、スモール基地局２００は、測定信号の送信のために、ダウンリンクでの送信のみを再開し、アップリンクでの受信を再開しなくてもよい。この場合には、マクロ基地局１００は、上記起動指示メッセージをスモール基地局２００へ送信する。そのため、送信制御部２５１は、スモール基地局２００が端末装置３００と通信可能な状態になるように、スモール基地局２００を制御する。
【００８４】
また、スモールセル２０のスモール基地局２００は、測定信号の送信の際に一次的に起動し、測定信号の送信後には、再び休止状態に戻っていてもよい。この場合には、マクロ基地局１００は、上記起動指示メッセージをスモール基地局２００へ送信する。そのため、送信制御部２５１は、スモール基地局２００が端末装置３００と通信可能な状態になるように、スモール基地局２００を制御する。
【００８５】
（通信制御部２５２）
通信制御部２５２は、スモールセル２０における無線通信を制御する。
【００８６】
例えば、通信制御部２５２は、スモール基地局２００によるダウンリンクでの送信及びダウンリンクでの受信を制御する。
【００８７】
とりわけ本実施形態では、通信制御部２５２は、スモールセル２０についての端末装置３００による測定のための信号（即ち、測定信号）の送信を制御する。例えば、通信制御部２５２は、当該測定信号を含むダウンリンク信号の送信を制御する。上述したように、例えば、当該ダウンリンク信号は、リファレンス信号である。また、例えば、スモール基地局１００は、初期状態として、ダウンリンクでの送信及び当該送信の制御を停止しているが、マクロ基地局１００は、上記測定のために上記起動指示メッセージを送信すると、スモール基地局１００は、ダウンリンクでの送信及び当該送信の制御を再開する。よって、通信制御部２５２は、測定信号を含むダウンリンク信号の送信を制御する。
【００８８】
また、とりわけ本実施形態では、例えば、上記測定結果に基づいてスモール基地局２００が休止状態にさせないスモール基地局として選択されると、通信制御部２５２は、スモールセル２０のための周波数帯域を１つ以上の補助的な周波数帯域の１つとして使用するように、上記端末装置３００を制御する。
【００８９】
より具体的には、例えば、マクロ基地局１００は、スモールセル２０のためのＣＣ（即ち、スモール基地局２００により使用されるＣＣ）を端末装置３００がＳＣＣとして使用することを、スモール基地局２００に通知する。すると、通信制御部１５７は、スモールセル２０のためのＣＣをＳＣＣとして使用するように、端末装置３００を制御する。一例として、通信制御部１５７は、スモールセル２０のＣＣの無線リソースを端末装置３００に割当てる。また、別の例として、スモールセル２０のＣＣに関する制御情報を端末装置３００に提供する。
【００９０】
＜＜４．端末装置の構成＞＞
図６を参照して、本実施形態に係る端末装置３００の構成の一例を説明する。図６は、本実施形態に係る端末装置３００の構成の一例を示すブロック図である。図６を参照すると、端末装置３００は、アンテナ部３１０、無線通信部３２０、記憶部３３０、入力部３４０、表示部３５０及び処理部３６０を備える。
【００９１】
（アンテナ部３１０）
アンテナ部３１０は、無線信号を受信し、受信された無線信号を無線通信部３２０へ出力する。また、アンテナ部３１０は、無線通信部３２０により出力された送信信号を送信する。
【００９２】
（無線通信部３２０）
無線通信部３２０は、端末装置３００がマクロセル１０内に位置する場合に、マクロ基地局１００との無線通信を行う。例えば、無線通信部３２０は、マクロセル１０のための周波数帯域（例えば、１つ以上のＣＣ）を使用して、マクロ基地局１００との無線通信を行う。
【００９３】
また、無線通信部３２０は、端末装置３００がスモールセル２０内に位置する場合に、スモール基地局２００との無線通信を行う。例えば、無線通信部３２０は、スモールセル２０のための周波数帯域（例えば、１つ以上のＣＣ）を使用して、スモール基地局２００との無線通信を行う。
【００９４】
（記憶部３３０）
記憶部３３０は、端末装置３００の動作のためのプログラム及びデータを記憶する。
【００９５】
（入力部３４０）
入力部３４０は、端末装置３００のユーザによる入力を受け付ける。そして、入力部３４０は、入力結果を処理部３６０に提供する。
【００９６】
（表示部３５０）
表示部３５０は、端末装置３００からの出力画面（即ち、出力画像）を表示する。例えば、表示部３５０は、処理部３６０（表示制御部３６７）による制御に応じて、出力画面を表示する。
【００９７】
（処理部３６０）
処理部３６０は、端末装置３００の様々な機能を提供する。処理部３６０は、要望通知部３６１、位置情報提供部３６２、測定部３６３、測定結果取得部３６４、測定結果提供部３６５、通信制御部３６６及び表示制御部３６７を含む。
【００９８】
（要望通知部３６１）
要望通知部３６１は、端末装置３００の要望を他の装置に通知する。
【００９９】
例えば、要望通知部３６１は、無線通信に関する端末装置３００の要望をマクロ基地局１００又はスモール基地局２００に通知する。一例として、要望通知部３６１は、スモールセル２０での無線通信を行うことの要望をマクロ基地局１００に通知してもよい。
【０１００】
（位置情報提供部３６２）
位置情報提供部３６２は、端末装置３００の位置を示す位置情報を提供する。
【０１０１】
例えば、位置情報提供部３６２は、当該位置情報をマクロ基地局１００に提供する。より具体的には、例えば、マクロ基地局１００が、上記位置情報の提供を要求する位置情報要求メッセージを、端末装置３００に送信する。すると、位置情報提供部３６２は、上記位置情報を取得し、マクロ基地局１００に提供する。
【０１０２】
上記位置情報は、例えば、ＧＰＳ（Global  Positioning  System）により取得される。あるいは、上記位置情報は、複数の基地局からのダウンリンク信号を用いた端末装置３００による測位により取得されてもよい。あるいは、上記位置情報は、端末装置３００からのアップリンク信号を用いた複数の基地局による測位により取得されてもよい。
【０１０３】
（測定部３６３）
測定部３６３は、スモールセル２０についての測定を行う。
【０１０４】
例えば、測定部３６３は、マクロ基地局１００により提供される、１つ以上のスモールセル２０に関する情報（即ち、スモールセル情報）に基づいて、当該１つ以上のスモールセル２０についての測定を行う。上述したように、例えば、上記スモールセル情報は、周波数チャネル情報及びタイミング情報を含む。そして、測定部３６３は、上記タイミング情報により示されるタイミングで、上記周波数チャネル情報により示される周波数チャネルでの測定を行う。
【０１０５】
また、例えば、上記測定は、スモール基地局２００により送信される測定信号の受信電力又は品質の測定である。より具体的には、例えば、上述したように、上記測定信号は、スモール基地局２００により送信されるリファレンス信号であり、上記測定は、ＲＳＲＰ又はＲＳＲＱの測定である。
【０１０６】
（測定結果取得部３６４）
測定結果取得部３６４は、スモールセル２０についての測定の結果を取得する。
【０１０７】
とりわけ本実施形態では、測定結果取得部３６４は、上記１つ以上のスモールセル２０についての測定の結果（即ち、測定結果）を取得する。当該測定結果の内容については、マクロ基地局１００の測定結果取得部１５５において説明したとおりである。
【０１０８】
（測定結果提供部３６５）
測定結果提供部３６５は、スモールセル２０についての測定の結果提供する。
【０１０９】
とりわけ本実施形態では、測定結果提供部３６５は、マクロ基地局１００に、上記１つ以上のスモールセル２０についての測定の結果（即ち、測定結果）を提供する。当該測定結果の内容及び提供手法については、マクロ基地局１００の測定結果取得部１５５において説明したとおりである。
【０１１０】
（通信制御部３６６）
通信制御部３６６は、端末装置３００による無線通信を制御する。
【０１１１】
とりわけ本実施形態では、例えば、通信制御部３６６は、マクロセル１０のための周波数帯域を１つの主要な周波数帯域として使用し、スモールセル２０のための周波数帯域を１つ以上の補助的な周波数帯域の１つとして使用するように、端末装置３００による無線通信を制御する。より具体的には、例えば、通信制御部３６６は、端末装置３００に、マクロセル１０のためのＣＣをＰＣＣとして使用し、スモールセル２０のためのＣＣをＳＣＣとして使用するように、無線通信についての設定を行う。
【０１１２】
一例として、端末装置３００が、マクロセル１０のためのＣＣをＰＣＣとして使用してマクロ基地局１００との無線通信を行なっている。そして、マクロ基地局１００は、選択されたスモール基地局２００により使用されるＣＣをＳＣＣとして追加するための、ＲＲＣコネクションリコンフィギュレーションメッセージを端末装置３００に通知する。すると、通信制御部３６６は、上記ＣＣをＳＣＣとして追加する。そして、通信制御部３６６は、無線通信部３２０を介して、ＲＲＣコネクションリコンフィギュレーションコンプリートメッセージをマクロ基地局１００へ送信する。
【０１１３】
（表示制御部３６７）
表示制御部３６７は、表示部３５０による出力画面の表示を制御する。例えば、表示制御部３６７は、表示部３５０により表示される出力画面を生成し、当該出力画面を表示部３５０に表示させる。
【０１１４】
＜＜５．処理の流れ＞＞
続いて、図７及び図８を参照して、本実施形態に係る通信制御処理の例を説明する。
【０１１５】
（第１の例）
図７は、本実施形態に係る通信制御処理の概略的な流れの第１の例を示すフローチャートである。
【０１１６】
まず、マクロ基地局１００は、端末装置３００の位置を示す位置情報の提供を要求する位置情報要求メッセージを、端末装置３００に送信する（Ｓ４０１）。すると、端末装置３００は、上記位置情報を取得し、マクロ基地局１００に提供する（Ｓ４０３）。
【０１１７】
次に、マクロ基地局１００は、スモールセル２０の中から、上記位置情報により示される端末装置３００の位置の近傍にある１つ以上のスモールセル２０を選択する(Ｓ４０５)。
【０１１８】
その後、マクロ基地局１００は、上記１つ以上のスモールセル２０に関する情報（スモールセル情報）を端末装置３００に提供する（Ｓ４０７）。
【０１１９】
また、マクロ基地局１００は、上記１つ以上のスモールセル２０のスモール基地局２００へ、起動を指示する起動指示メッセージを送信する（Ｓ４０９）。すると、スモール基地局２００は起動し（Ｓ４１１）、リファレンス信号を含むダウンリンク信号の送信を再開する（Ｓ４１３）。
【０１２０】
一方、端末装置３００は、上記スモールセル情報に基づいて、上記１つ以上のスモールセル２０についての測定を行う（Ｓ４１５）。そして、端末装置３００は、マクロ基地局１００に、上記１つ以上のスモールセル２０についての測定の結果（即ち、測定結果）を提供する（Ｓ４１７）。
【０１２１】
その後、マクロ基地局１００は、上記測定結果に基づいて、上記１つ以上のスモールセル２０のスモール基地局２００の中から、休止状態にさせないスモール基地局２００を選択する（Ｓ４１９）。ここでは、図７に示されているスモール基地局２００が選択されたものとする。なお、マクロ基地局１００は、上記１つ以上のスモール基地局２００のうちの、選択された上記スモール基地局２００以外のスモール基地局２００（即ち、その他のスモール基地局２００）へ、休止状態になるように指示する休止指示メッセージを送信する。すると、上記その他のスモール基地局２００は、休止状態になる。
【０１２２】
そして、マクロ基地局１００は、選択された上記スモール基地局２００により使用されるＣＣをＳＣＣとして追加するための、ＲＲＣコネクションリコンフィギュレーションメッセージを、端末装置３００へ送信する（Ｓ４２１）。すると、端末装置３００は、選択された上記スモール基地局２００により使用されるＣＣ（スモールセル２０のためのＣＣ）をＳＣＣとして追加し（Ｓ４２３）、ＲＲＣコネクションリコンフィギュレーションコンプリートメッセージをマクロ基地局１００へ送信する（Ｓ４２５）。
【０１２３】
また、マクロ基地局１００は、選択された上記スモール基地局２００により使用されるＣＣを端末装置３００がＳＣＣとして使用することを、選択された上記スモール基地局２００に通知する（Ｓ４２７）。その後、端末装置３００は、マクロセル１０のためのＣＣをＰＣＣとして使用してマクロ基地局１００との無線通信を行いつつ、スモールセル２０のためのＣＣをＳＣＣとして使用して、選択された上記スモール基地局２００との無線通信を行う。
【０１２４】
（第２の例）
図８は、本実施形態に係る通信制御処理の概略的な流れの第２の例を示すフローチャートである。
【０１２５】
第２の例では、端末装置３００は、アップリンクでリファレンス信号を送信する（Ｓ４３１）。そして、マクロ基地局１００は、上記リファレンス信号を用いた端末装置３００の測位により、上記位置情報を取得する（Ｓ４３３）。
【０１２６】
なお、以降のステップＳ４０５〜Ｓ４２７については、図７を参照して第１の例において説明したとおりである。
【０１２７】
＜＜６．変形例＞＞
続いて、本実施形態に係る第１の変形例及び第２の変形例を説明する。
【０１２８】
（第１の変形例）
上述した本実施形態の例では、スモール基地局２００は、休止状態である場合には、ダウンリンクでの送信及びアップリンクでの受信の両方を停止する。しかし、本実施形態はこの例に限定されない。本実施形態の第１の変形例では、スモール基地局２００は、休止状態である場合には、ダウンリンクでの送信を停止し、アップリンクでの受信を停止しない。
【０１２９】
なお、第１の変形例では、例えば、図７及び図８を参照して説明した通信制御処理と同様の処理が行われる。
【０１３０】
（第２の変形例）
一方、本実施形態の第２の変形例では、スモール基地局２００は、休止状態である場合には、アップリンクでの受信を停止し、ダウンリンクでの送信を停止しない。
【０１３１】
第２の変形例では、スモール基地局２００は、マクロ基地局１００による制御がなくても、ダウンリンクで測定信号（リファレンス信号）を送信する。よって、例えば、図７を参照して説明した通信制御処理のうちの、ステップＳ４０１〜Ｓ４１３の一部又は全部が省略され得る。
【０１３２】
（第３の変形例）
上述した本実施形態の例では、スモール基地局２００は、休止状態である場合には、通信（ダウンリンクでの送信及び／又はアップリンクでの受信）を停止している。しかし、本実施形態はこの例に限定されない。本実施形態の第３の変形例では、スモール基地局２００は、休止状態である場合には、無線通信を完全に停止するのではなく、消費電力を削減しつつ無線通信を行う。例えば、スモール基地局２００は、休止状態である場合に、ダウンリンクでのＤＴＸ（Discontinuous  Transmission）及び／又はアップリンクでのＤＲＸ（Discontinuous  Reception）を行う。
【０１３３】
＜＜７．応用例＞＞
本開示に係る技術は、様々な製品へ応用可能である。例えば、マクロ基地局１００は、マクロｅＮＢ（ＭｅＮＢ）又はマスタｅＮＢ（ＭｅＢ）などのいずれかの種類のｅＮＢ（evolved  Node  B）として実現されてもよい。また、スモール基地局２００は、ピコｅＮＢ（ＰｅＮＢ）、ホームｅＮＢ（ＨｅＮＢ）又はセカンダリｅＮＢ（ＳｅＢ）などのいずれかの種類のｅＮＢとして実現されてもよい。その代わりに、マクロ基地局１００及びスモール基地局２００は、ＮｏｄｅＢ又はＢＴＳ（Base  Transceiver  Station）などの他の種類の基地局として実現されてもよい。マクロ基地局１００及びスモール基地局２００は、無線通信を制御する本体（基地局装置ともいう）と、本体とは別の場所に配置される１つ以上のＲＲＨ（Remote  Radio  Head）とを含んでもよい。
【０１３４】
また、例えば、端末装置３００は、スマートフォン、タブレットＰＣ（Personal  Computer）、ノートＰＣ、携帯型ゲーム端末若しくはデジタルカメラなどのモバイル端末、又はカーナビゲーション装置などの車載端末として実現されてもよい。また、端末装置３００は、Ｍ２Ｍ（Machine  To  Machine）通信を行う端末（ＭＴＣ（Machine  Type  Communication）端末ともいう）として実現されてもよい。さらに、端末装置３００は、これら端末に搭載される無線通信モジュール（例えば、１つのダイで構成される集積回路モジュール）であってもよい。
【０１３５】
＜７−１．基地局に関する応用例＞
（第１の応用例）
図９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１３６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図９に示したように複数のアンテナ８１０を有し、複数のアンテナ８１０は、例えばｅＮＢ８００が使用する複数の周波数帯域にそれぞれ対応してもよい。なお、図９にはｅＮＢ８００が複数のアンテナ８１０を有する例を示したが、ｅＮＢ８００は単一のアンテナ８１０を有してもよい。
【０１３７】
基地局装置８２０は、コントローラ８２１、メモリ８２２、ネットワークインタフェース８２３及び無線通信インタフェース８２５を備える。
【０１３８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１３９】
ネットワークインタフェース８２３は、基地局装置８２０をコアネットワーク８２４に接続するための通信インタフェースである。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１４０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、レイヤ１、レイヤ２（例えば、ＭＡＣ（Medium  Access  Control）、ＲＬＣ（Radio  Link  Control）、ＰＤＣＰ（Packet  Data  Convergence  Protocol））及びレイヤ３（例えば、ＲＲＣ（Radio  Resource  Control））の様々な信号処理を実行する。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１４１】
無線通信インタフェース８２５は、図９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図９に示したように複数のＲＦ回路８２７を含み、複数のＲＦ回路８２７は、例えば複数のアンテナ素子にそれぞれ対応してもよい。なお、図９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１４２】
（第２の応用例）
図１０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１４３】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１０に示したように複数のアンテナ８４０を有し、複数のアンテナ８４０は、例えばｅＮＢ８３０が使用する複数の周波数帯域にそれぞれ対応してもよい。なお、図１０にはｅＮＢ８３０が複数のアンテナ８４０を有する例を示したが、ｅＮＢ８３０は単一のアンテナ８４０を有してもよい。
【０１４４】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図９を参照して説明したコントローラ８２１、メモリ８２２及びネットワークインタフェース８２３と同様のものである。
【０１４５】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図９を参照して説明したＢＢプロセッサ８２６と同様のものである。無線通信インタフェース８５５は、図１０に示したように複数のＢＢプロセッサ８５６を含み、複数のＢＢプロセッサ８５６は、例えばｅＮＢ８３０が使用する複数の周波数帯域にそれぞれ対応してもよい。なお、図１０には無線通信インタフェース８５５が複数のＢＢプロセッサ８５６を含む例を示したが、無線通信インタフェース８５５は単一のＢＢプロセッサ８５６を含んでもよい。
【０１４６】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１４７】
また、ＲＲＨ８６０は、接続インタフェース８６１及び無線通信インタフェース８６３を備える。
【０１４８】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１４９】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１０に示したように複数のＲＦ回路８６４を含み、複数のＲＦ回路８６４は、例えば複数のアンテナ素子にそれぞれ対応してもよい。なお、図１０には無線通信インタフェース８６３が複数のＲＦ回路８６４を含む例を示したが、無線通信インタフェース８６３は単一のＲＦ回路８６４を含んでもよい。
【０１５０】
図９及び図１０示したｅＮＢ８００及びｅＮＢ８３０において、図２を用いて説明したマクロ基地局１００の処理部１５０（又は、処理部１５０に含まれる各構成要素）、及び図５を用いて説明したスモール基地局２００の処理部２５０（又は、処理部２５０に含まれる各構成要素）は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０１５１】
＜７−２．端末装置に関する応用例＞
（第１の応用例）
図１１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１５２】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１５３】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１５４】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１１に示したように複数のＢＢプロセッサ９１３及び複数のＲＦ回路９１４を含んでもよい。なお、図１１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１５５】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１５６】
アンテナスイッチ９１５の各々は、無線通信インタフェース９１２に含まれる複数の回路（例えば、異なる無線通信方式のための回路）の間でアンテナ９１６の接続先を切り替える。
【０１５７】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１１に示したように複数のアンテナ９１６を有してもよい。なお、図１１にはスマートフォン９００が複数のアンテナ９１６を有する例を示したが、スマートフォン９００は単一のアンテナ９１６を有してもよい。
【０１５８】
さらに、スマートフォン９００は、無線通信方式ごとにアンテナ９１６を備えてもよい。その場合に、アンテナスイッチ９１５は、スマートフォン９００の構成から省略されてもよい。
【０１５９】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１１に示したスマートフォン９００の各ブロックへ電力を供給する。補助コントローラ９１９は、例えば、スリープモードにおいて、スマートフォン９００の必要最低限の機能を動作させる。
【０１６０】
図１１に示したスマートフォン９００において、図６を用いて説明した端末装置３００の処理部３６０（又は処理部３６０に含まれる各構成要素）は、無線通信インタフェース９１２において実装されてもよい。また、これら機能の少なくとも一部は、プロセッサ９０１又は補助コントローラ９１９において実装されてもよい。
【０１６１】
（第２の応用例）
図１２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１６２】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１６３】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１６４】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１６５】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１２に示したように複数のＢＢプロセッサ９３４及び複数のＲＦ回路９３５を含んでもよい。なお、図１２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１６６】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１６７】
アンテナスイッチ９３６の各々は、無線通信インタフェース９３３に含まれる複数の回路（例えば、異なる無線通信方式のための回路）の間でアンテナ９３７の接続先を切り替える。
【０１６８】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１２に示したように複数のアンテナ９３７を有してもよい。なお、図１２にはカーナビゲーション装置９２０が複数のアンテナ９３７を有する例を示したが、カーナビゲーション装置９２０は単一のアンテナ９３７を有してもよい。
【０１６９】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１７０】
バッテリー９３８は、図中に破線で部分的に示した給電ラインを介して、図１２に示したカーナビゲーション装置９２０の各ブロックへ電力を供給する。また、バッテリー９３８は、車両側から給電される電力を蓄積する。
【０１７１】
図１２に示したカーナビゲーション装置９２０において、図６を用いて説明した端末装置３００の処理部３６０（又は処理部３６０に含まれる各構成要素）は、無線通信インタフェース９３３において実装されてもよい。また、これら機能の少なくとも一部は、プロセッサ９２１において実装されてもよい。
【０１７２】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１７３】
＜＜８．まとめ＞＞
ここまで、図１〜図８を用いて、本開示の実施形態に係る各ノード及び各処理を説明した。本開示に係る実施形態によれば、測定結果取得部１５５は、１つ以上のスモールセル２０についての端末装置３００による測定の結果（即ち、測定結果）を取得する。また、第２選択部１５６は、上記測定結果に基づいて、上記１つ以上のスモールセル２０のスモール基地局２００の中から、休止状態にさせないスモール基地局２００を選択する。
【０１７４】
これにより、例えば、必ずしも端末装置３００により近いスモール基地局２００が選択されるわけではなく、より良好な通信品質をもたらすスモール基地局２００が、休止状態にさせないスモール基地局２００として選択される。そのため、スモール基地局２００の消費電力を削減しつつ、スモールセル２０における無線通信の通信品質の低下を抑制することが可能になる。
【０１７５】
また、例えば、第１選択部１５２は、端末装置３００の位置を示す上記位置情報に基づいて、上記１つ以上のスモールセル２０を選択する。
【０１７６】
これにより、例えば、端末装置３００との無線通信を行う可能性があるスモール基地局２００が選択され、端末装置３００との無線通信を行う可能性がないスモール基地局２００は選択されない。その結果、より消費電力を削減することが可能になる。
【０１７７】
また、例えば、スモールセル制御部１５４は、選択される上記スモール基地局２００を休止状態にさせず、上記１つ以上のスモールセル２０のスモール基地局２００のうちの選択される上記スモール基地局２００以外のスモール基地局２００を休止状態にさせる。
【０１７８】
これにより、端末装置３００は、スモールセル２０での無線通信を行うことが可能になり、且つスモール基地局２００の消費電力が削減され得る。
【０１７９】
また、例えば、スモールセル制御部１５４は、上記１つ以上のスモールセル２０のスモール基地局２００に測定用信号を送信させる。
【０１８０】
これにより、スモール基地局２００が休止状態であり、ダウンリンクでの送信が行われていない状態であったとしても、その後、上記１つ以上のスモールセル２０についての測定を行うことが可能になる。
【０１８１】
また、例えば、送信制御部１５２は、上記１つ以上のスモールセル２０に関する情報（即ち、スモールセル情報）を端末装置３００に提供する。
【０１８２】
これにより、測定における端末装置３００の負荷が軽減され得る。
【０１８３】
また、例えば、上記スモールセル情報は、上記１つ以上のスモールセル２０のスモール基地局２００の各々によって測定用信号が送信される周波数チャネルを示す情報（即ち、周波数チャネル情報）を含む。
【０１８４】
これにより、例えば、端末装置３００は、測定用信号が送信される周波数チャネルを探索することなく、当該測定用信号を受信することが可能になる。そのため、測定における端末装置３００の負荷が軽減され得る。
【０１８５】
また、例えば、上記スモールセル情報は、上記１つ以上のスモールセル２０のスモール基地局２００の各々によって測定用信号が送信されるタイミングを示す情報（以下、「タイミング情報」と呼ぶ）を含む。
【０１８６】
これにより、例えば、端末装置３００は、測定用信号が送信されるタイミングで信号の受信を開始することが可能になる。即ち、端末装置３００は、長時間にわたって信号を受信し続ける必要がなくなる。そのため、測定における端末装置３００の負荷が軽減され得る。
【０１８７】
また、例えば、通信制御部１５７は、マクロセル１０のための周波数帯域を１つの主要な周波数帯域として使用し、選択される上記スモール基地局２００のスモールセル２０のための周波数帯域を１つ以上の補助的な周波数帯域の１つとして使用するように、上記端末装置３００を制御する。
【０１８８】
このようなキャリアアグリゲーションにより、端末装置３００は、マクロ基地局１００との無線通信を継続しつつ、必要に応じて起動されたスモール基地局２００とも無線通信を行うことが可能になる。例えば、端末装置３００がマクロセル１０内に位置する限り、ＰＣＣのハンドオーバの機会はないので、端末装置３００にとってのシグナリングの負荷を軽減することが可能になる。また、例えば、端末装置３００にとっての通信速度が向上し得る。また、このようなキャリアアグリゲーションのためには、スモールセル２０についての測定が必要であるので、上述したような測定の手続きがとりわけ有効になる。
【０１８９】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０１９０】
例えば、通信システムがＬＴＥ又はＬＴＥ−Ａに準拠する例を説明したが、本開示は係る例に限定されない。例えば、通信システムは、別の通信規格に準拠したシステムであってもよい。
【０１９１】
また、本明細書の通信処理における処理ステップは、必ずしもフローチャートに記載された順序に沿って時系列に実行されなくてよい。例えば、通信処理における処理ステップは、フローチャートとして記載した順序と異なる順序で実行されても、並列的に実行されてもよい。
【０１９２】
また、通信制御装置（マクロ基地局及びスモール基地局の基地局装置）又は端末装置に内蔵されるＣＰＵ、ＲＯＭ及びＲＡＭなどのハードウェアに、上記通信制御装置又は上記端末装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行するプロセッサ（例えば、ＣＰＵ）を含む情報処理装置（例えば、処理回路、チップ）も提供されてもよい。
【０１９３】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０１９４】
なお、以下のような構成も本開示の技術的範囲に属する。
（１）
マクロセルと一部又は全体で重なる１つ以上のスモールセルについての端末装置による測定の結果を取得する取得部と、
前記測定の前記結果に基づいて、前記１つ以上のスモールセルの基地局の中から、休止状態にさせない基地局を選択する選択部と、
を備える通信制御装置。
（２）
前記１つ以上のスモールセルは、前記端末装置の位置を示す位置情報に基づいて選択されるスモールセルである、前記（１）に記載の通信制御装置。
（３）
前記１つ以上のスモールセルの基地局を制御する制御部をさらに備え、
前記制御部は、選択される前記基地局を休止状態にさせず、前記１つ以上のスモールセルの基地局のうちの選択される前記基地局以外の基地局を休止状態にさせる、
前記（１）又は（２）に記載の通信制御装置。
（４）
前記制御部は、前記１つ以上のスモールセルの基地局に前記測定のための信号を送信させる、前記（３）に記載の通信制御装置。
（５）
前記１つ以上のスモールセルに関する情報を前記端末装置に提供する提供部をさらに備える、前記（１）〜（４）のいずれか１項に記載の通信制御装置。
（６）
前記１つ以上のスモールセルに関する前記情報は、前記１つ以上のスモールセルの基地局の各々によって前記測定のための信号が送信される周波数チャネルを示す情報を含む、前記（５）に記載の通信制御装置。
（７）
前記１つ以上のスモールセルに関する前記情報は、前記１つ以上のスモールセルの基地局の各々によって前記測定のための信号が送信されるタイミングを示す情報を含む、前記（５）又は（６）に記載の通信制御装置。
（８）
前記タイミングは、前記１つ以上のスモールセルの基地局の各々が休止状態から起動するまでに要する時間に依存する、前記（７）に記載の通信制御装置。
（９）
前記測定のための前記信号は、リファレンス信号である、前記（７）又は（８）に記載の通信制御装置。
（１０）
前記測定の前記結果は、前記測定のための信号の受信電力又は品質に関する情報を含む、前記（１）〜（９）のいずれか１項に記載の通信制御装置。
（１１）
前記測定の前記結果は、前記１つ以上のスモールセルのうちの一部のスモールセルについての情報である、前記（１）〜（１０）のいずれか１項に記載の通信制御装置。
（１２）
前記測定の前記結果は、前記１つ以上のスモールセルのいずれについても前記測定のための信号の受信電力又は品質が所定の閾値を超えない場合に、いずれのスモールセルについても前記受信電力又は前記品質が前記所定の閾値を超えないことを示す情報を含む、前記（１）〜（１１）のいずれか１項に記載の通信制御装置。
（１３）
前記選択部は、スモールセルでの無線通信を行うことの要望を前記端末装置により通知される場合に、休止状態にさせない上記基地局を選択する、前記（１）〜（１２）のいずれか１項に記載の端末装置。
（１４）
前記端末装置は、１つの主要な周波数帯域及び１つ以上の補助的な周波数帯域を使用して無線通信可能であり、
前記通信制御装置は、
前記マクロセルのための周波数帯域を前記１つの主要な周波数帯域として使用し、選択される前記基地局のスモールセルのための周波数帯域を前記１つ以上の補助的な周波数帯域の１つとして使用するように、前記端末装置を制御する通信制御部
をさらに備える、前記（１）〜（１３）のいずれか１項に記載の端末装置。
（１５）
マクロセルと一部又は全体で重なる１つ以上のスモールセルについての端末装置による測定の結果を取得することと、
前記測定の前記結果に基づいて、前記１つ以上のスモールセルの基地局の中から、休止状態にさせない基地局をプロセッサにより選択することと、
を含む通信制御方法。
（１６）
マクロセルと一部又は全体で重なるスモールセルについての端末装置による測定のための信号の送信を制御する通信制御部と、
前記測定の結果に基づいて前記スモールセルの基地局が休止状態にさせない基地局として選択されると、前記スモールセルの基地局を休止状態にさせない状態制御部と、
を備える通信制御装置。
（１７）
マクロセルと一部又は全体で重なる１つ以上のスモールセルについての測定の結果を取得する取得部と、
前記測定の前記結果に基づいて前記１つ以上のスモールセルの基地局の中から休止状態にさせない基地局を選択する通信制御装置に、前記測定の前記結果を提供する提供部と、
を備える端末装置。
【符号の説明】
【０１９５】
１        通信システム
１０      マクロセル
２０      スモールセル
１００    マクロ基地局
１５１    位置情報取得部
１５２    第１選択部
１５３    情報提供部
１５４    スモールセル制御部
１５５    測定結果取得部
１５６    第２選択部
１５７    通信制御部
２００    スモール基地局
２５１    状態制御部
２５３    通信制御部
３００    端末装置
３６１    要望通知部
３６２    位置情報提供部
３６３    測定部
３６４    測定結果取得部
３６５    測定結果提供部
３６６    通信制御部
【図１】
2015037205.tif 000003
【図２】
2015037205.tif 000004
【図３】
2015037205.tif 000005
【図４】
2015037205.tif 000006
【図５】
2015037205.tif 000007
【図６】
2015037205.tif 000008
【図７】
2015037205.tif 000009
【図８】
2015037205.tif 000010
【図９】
2015037205.tif 000011
【図１０】
2015037205.tif 000012
【図１１】
2015037205.tif 000013
【図１２】
2015037205.tif 000014